(57)【要約】      （修正有）【課題】咬み合せの早期接触部を診断するのと同じようなやり方で早期接触部を研磨調整することができるような歯科用やすりを提供する。【解決手段】咬み合せの早期接触部を削合調整するためのやすり面１１を片面側に有するシートより成る歯科用やすり１としたものである。これにより、恰も咬合検査シートのようでありながら奥歯等の咬合圧が大きい部分を研削して均すことが出来、削合調整の作業がスピーディーに行えると言う効果を奏する。なお更に把持部を備えたものとしても良く、シートのやすり面とは反対側の面にポリプロピレンなどから成る滑り面を有するものとしても良く、咬み合せの早期接触部を診断するための咬合検査部を備えたものとしても良い。【選択図】図１
0003160492.tif 000002
【実用新案登録請求の範囲】
【請求項１】
咬み合せの早期接触部を削合調整するためのやすり面を片面側に有するシートより成る歯科用やすり。
【請求項２】
把持部を備えた請求項１に記載の歯科用やすり。
【請求項３】
前記把持部に滑り止め手段を備えた、請求項２に記載の歯科用やすり。
【請求項４】
シートのやすり面とは反対側の面にポリプロピレンなどから成る滑り面を有する、請求項１に記載の歯科用やすり。
【請求項５】
咬み合せの早期接触部を特定するための咬合検査部を備えた、請求項１に記載の歯科用やすり。
【考案の詳細な説明】
【技術分野】
【０００１】  本考案は、咬み合せの早期接触部を診断するのと同じようなやり方で早期接触部を研磨調整することができるような歯科用やすりに関する。
【背景技術】
【０００２】  歯の咬合状態を調べて早期接触部を診断するためのものとして、従来よりカーボン紙が広く用いられている。このカーボン紙を上下の歯の間に挟んで強く歯をカチカチと打ち合わせたり歯ぎしりをさせたりすることにより、歯にカーボンを付着させて早期接触部を特定することが出来る。また特開平０４−８９０４７号のような歯科用咬合検査シートが知られている。このものはカーボン紙のような感圧紙または感圧フィルムより成るものであり、咬んだ時に上下歯の早期接触部以外の部分の咬合圧がゼロに近い値であるのに対して早期接触部の咬合圧が大きくなってその部分が発色すると言うものである。なお顕色剤などの薬品が直接歯に付着して不快に感じる心配がないと言う特長がある。【０００３】  このような歯科用咬合検査シートにより早期接触部を特定し、この部位の削合を行って上下それぞれの歯に均等に咬合圧が生ずるように調整する。均等に咬合圧が生ずるまでは、歯科用咬合検査シートによる検査と、咬合圧が大きい部分の削合とを、繰り返して行うようにする。
【先行技術文献】
【特許文献】
【０００４】
【特許文献１】特開平０４−０８９０４７号（第１図）
【考案の概要】
【考案が解決しようとする課題】
【０００５】  しかしながら上述したような歯科用咬合検査シートによる検査と削合調整とを繰り返し繰り返し行わなくてはならない場合が多いのが実状である。そこでこのような調整作業をもっと容易に行えるようにならないだろうかと言うのが本考案の課題である。
【課題を解決するための手段】
【０００６】  このために油に砂を練り込んだペーストを上下歯の咬合圧が大きい部分に塗って歯ぎしりをさせるようにすれば、患者自身に上下歯に均等に咬合圧が生ずるまで調整させることが出来ると思考して見た。これはこれで調整作業を容易にすることが可能ではあるが、今度は上下の歯が共に削れてしまうと言う新たな問題を生じてしまう。【０００７】  そこで本考案では咬み合せの早期接触部を削合調整するためのやすり面を片面側に有するシートより成る歯科用やすりを提供することによって上記課題を解決する。シートにはプラスチックシートやラミネート紙や金属箔にプラスチックフィルムを張り合わせたものなどが用いられる。このようなシートの片面側にセラミック粉やアルミナ粉などの研削性粉体を付着させるなどしてやすり面を構成している。なおシートの種類や形状は任意であり、やすり面の構成も自由である。なおこのようなシートの複数枚を冊子状にして提供することも可能である。【０００８】  本考案の歯科用やすりによれば、恰も咬合検査シートのようでありながら早期接触部の上下歯の間に挟んで歯ぎしりさせたりすることによって咬合圧が大きい部分を研削して均すことが出来るため、削合調整の作業がスピーディーであると言う特長を有する。【０００９】  なお本考案の歯科用やすりは把持部を備えたものとしても良い。把持部としての専用の部位を有することによってやすり部分に触れなくて済み、また持ち易さも向上する。更に前記把持部に滑り止め手段を備えたものとしても良い。これにより唾液で滑って作業効率が落ちるなどの問題を軽減することが出来る。【００１０】  また本考案の歯科用やすりは、シートのやすり面とは反対側の面にポリプロピレンなどから成る滑り面を有するものとしても良い。上述したように上下の歯が共に削れてしまう問題を防ぐためにやすり面を片面側に有するのであるが、そうであればシートのやすり面とは反対側の面に当る歯との間の摩擦は少ない方が好ましくある。そこでポリプロピレンなどから成る滑り面を備えたのである。【００１１】  また本考案の歯科用やすりは、咬み合せの早期接触部を診断するための咬合検査部を備えたものとしても良い。この段階では上述した歯科用咬合検査シートは均等に咬合圧が生ずるようになったか否かを知るためのものとして役立つ。そこで本考案の歯科用やすりにこのための咬合検査部を備えたのである。
【考案の効果】
【００１２】  本考案によれば、咬み合せの早期接触部を削合調整するためのやすり面を片面側に有するシートより成る歯科用やすりとしたので、恰も咬合検査シートのようでありながら奥歯等の咬合圧が大きい部分を研削して均すことが出来、削合調整の作業がスピーディーに行えると言う効果を奏する。
【図面の簡単な説明】
【００１３】
【図１】  第１実施形態の説明図である。
【図２】  厚み方向から見た説明図である。
【図３】  第２実施形態の説明図である。
【図４】  厚み方向から見た説明図である。
【図５】  第３実施形態の説明図である。
【図６】  厚み方向から見た説明図である。
【考案を実施するための形態】
【００１４】  以下本考案の３種類の実施形態を図１〜図６を参照しつつ説明するが、本考案はこれ等の実施形態に限定されるものではない。なお図２、図４、図６では層の構成を明らかにするべく厚みを誇張して描いている。
【第１実施形態】
【００１５】  本実施形態の歯科用やすり１は、図１及び図２で表すように、鋼製の薄いシート状体を呈する支持部１０の片面側にアルミナジルコニア粉末の研削材をにかわ質の接着剤にて二層コーティングにより接着して（図示せず）やすり部１１を形成したものである。特段の耐水性を備えてはいないが使い捨てであるために問題は少ない。
【００１６】  本実施形態の歯科用やすり１は、恰も咬合検査シートのように上下の歯の間に挟んで使用する本考案独特の構成を備えており、早期接触部の研削したい奥歯等の側にやすり部１１の面側を向けるようにして上下歯の間に挟んで歯ぎしりさせたりすることによって、この部位を研削して均す作業をスピーディーに行うことが出来ると言う特長を有する。
【第２実施形態】
【００１７】  本実施形態の歯科用やすり２は、図３及び図４で表すように、合繊紙製の薄いシート状体を呈する支持部２０の裏面に、ＰＰ（ポリプロピレン）樹脂製の薄いシート状体を張り合せて滑り部３と為し、前記支持部２０の表面の一部にやすり部２１を形成し、このやすり部２１を形成していない支持部２０の部位を把持部２２とし、更に前記滑り部３の表面で、前記把持部２２の辺りに粘着部４を形成している。
【００１８】  本実施形態の歯科用やすり２はその複数枚が前記粘着部４を以て冊子状に束ねられて提供される。従って使用時には１枚１枚剥離して用いることになる。この剥離した後の歯科用やすり２の粘着部４は指に軽く接着し得る性質を備えているため、これは滑り止め手段の一種であると言うことが出来る。なおこの他、把持部２２に穿孔して指の皮膚を掛け得る孔部を設けるなど、滑り止め手段は自由に構成して良い。
【００１９】  なお本実施形態の歯科用やすり２にはもう一つ特長がある。すなわち早期接触部の研削したい奥歯等の側にやすり部２１の面側を向けるようにして、歯科用やすり２を上下の歯の間に挟み付けて歯ぎしりさせたりすることによりこの部位を研削して均すのであるが、この際に研削しない歯の側には前記滑り部３が当ることになる。この滑り部３はＰＰ樹脂製に成るものであるため研削しない歯に対する滑り性が良好になると言う特質を有する（従って粘着部４があることには意義がある）。なお支持部そのものにＰＰ樹脂等の滑りの良い素材を使う構成も可能である。
【第３実施形態】
【００２０】  本実施形態の歯科用やすり５は、図５及び図６で表すように、支持部５０の片面側の一部にやすり部５１を形成し、このやすり部５１を形成していない支持部５０の部位に赤色のカーボン紙を張り付けてカーボン紙部６を形成したものである。
【００２１】  本実施形態の歯科用やすり５はカーボン紙部６を備えており、この部位は上述した歯科用咬合検査シートとして使用される部位である。すなわちカーボン紙部６の側を上下の歯の間に挟んで、強く歯をカチカチと打ち合わせたり歯ぎしりをさせたりすることにより歯に赤色のカーボンを付着させることが出来る。従って研削したい奥歯等を前記やすり部５１の側を用いて研削する作業を行った後に、この歯の部位に前記カーボン紙部６の側を用いて均し具合を確認することが可能になると言う特長がある。
【産業上の利用可能性】
【００２２】  本考案の歯科用やすりは両側の歯列の全てに一度に対応し得るように、支持部の形状を馬蹄形状などとして構成することが可能である。あるいは片側の歯列にのみ対応する馬蹄形状などとして構成しても良い。またこれ等の場合に馬蹄形状の支持部に別体の把持部を取り付けたものとして提供することも可能である。
【符号の説明】
【００２３】  １    歯科用やすり
１０  支持部
１１  やすり部
２    歯科用やすり
２０  支持部
２１  やすり部
２２  把持部
３    滑り部
４    粘着部
５    歯科用やすり
５０  支持部
５１  やすり部
６    カーボン紙部
【図１】
0003160492.tif 000003
【図２】
0003160492.tif 000004
【図３】
0003160492.tif 000005
【図４】
0003160492.tif 000006
【図５】
0003160492.tif 000007
【図６】
0003160492.tif 000008
【手続補正書】
【提出日】平成22年4月6日(2010.4.6)
【手続補正１】
【補正対象書類名】実用新案登録請求の範囲
【補正対象項目名】請求項４
【補正方法】変更
【補正の内容】
【請求項４】
シートのやすり面とは反対側の面が滑り面である、請求項１に記載の歯科用やすり。
【手続補正２】
【補正対象書類名】実用新案登録請求の範囲
【補正対象項目名】請求項５
【補正方法】変更
【補正の内容】
【請求項５】
咬み合せの早期接触部を特定するためのカーボン紙を備えた、請求項１に記載の歯科用やすり。
【手続補正３】
【補正対象書類名】明細書
【補正対象項目名】００１０
【補正方法】変更
【補正の内容】
【００１０】  また本考案の歯科用やすりは、シートのやすり面とは反対側の面が滑り面であるものとしても良い。上述したように上下の歯が共に削れてしまう問題を防ぐためにやすり面を片面側に有するのであるが、そうであればシートのやすり面とは反対側の面に当る歯との間の摩擦は少ない方が好ましくある。そこでこの部位を滑り面としたのである。
【手続補正４】
【補正対象書類名】明細書
【補正対象項目名】００１１
【補正方法】変更
【補正の内容】
【００１１】  また本考案の歯科用やすりは、咬み合せの早期接触部を診断するためのカーボン紙を備えたものとしても良い。この段階では上述したカーボン紙は均等に咬合圧が生ずるようになったか否かを知るためのものとして役立つ。そこで本考案の歯科用やすりにこのためのカーボン紙を備えたのである。